(57)【特許請求の範囲】
【請求項１】
左右方向に長い棒状の膝受け部材を有し、該膝受け部材は、使用者の左右の膝裏部に当接する状態で該膝裏部を下方から受ける左右の膝受け部を左右側に具え、該膝受け部材の長さ方向の中央部が支持部で支持されてなり、該膝受け部材が該支持部を支点部として、前記左右の膝受け部が交互に上下する上下スイング動を行い得る如くなされていることを特徴とする座位又は仰臥位で使用する運動器具。
【請求項２】
左右方向に長い棒状の膝受け部材を有し、該膝受け部材は、使用者の左右の膝裏部に当接する状態で該膝裏部を下方から受ける左右の膝受け部を左右側に具え、該膝受け部材の長さ方向の中央部が支持部で支持されてなり、該膝受け部材が、該支持部を支点部として、前記左右の膝受け部が交互に上下する上下スイング動を行い得る如くなされると共に、前記左右の膝受け部が前後動する前後スイング動を行い得る如くなされていることを特徴とする座位又は仰臥位で使用する運動器具。
【請求項３】
前記膝受け部材が、前記支持部の軸線回りに正逆回動可能となされていることを特徴とする請求項１又は２記載の座位又は仰臥位で使用する運動器具。
【請求項４】
椅子の着座部に固定される基板の前縁側の、左右の大腿部の間に位置する支持部で、使用者の左右の膝裏部を下方から受ける左右の膝受け部を左右側に具えた膝受け部材の長さ方向の中央部が支持されており、該膝受け部材が、該支持部を支点部として、前記左右の膝受け部が交互に上下する上下スイング動を行い得ると共に前後動する前後スイング動を行い得る如くなされており、
又、前記膝受け部材の長さ方向の中央部にハンドルが突設されており、使用者が該ハンドルを把持して、前記膝受け部材に前記上下スイング動と前記前後スイング動を行わせ得ることを特徴とする座位又は仰臥位で使用する運動器具。
【請求項５】
椅子の着座部の上面に載置されて使用者の臀部に敷かれる基板の前縁側の、左右の大腿部の間に位置する支持部で、使用者の左右の膝裏部を下方から受ける左右の膝受け部を左右側に具えた膝受け部材の長さ方向の中央部が支持されており、該膝受け部材が、該支持部を支点部として、前記左右の膝受け部が交互に上下する上下スイング動を行い得ると共に前後動する前後スイング動を行い得る如くなされており、
又、前記膝受け部材の長さ方向の中央部にハンドルが突設されており、使用者が該ハンドルを把持して、前記膝受け部材に前記上下スイング動と前記前後スイング動を行わせ得ることを特徴とする座位又は仰臥位で使用する運動器具。
【請求項６】
前記ハンドルは、垂直状態に突設されていることを特徴とする請求項４又は５記載の座位又は仰臥位で使用する運動器具。
【請求項７】
前記ハンドルは、前方に向け上方に傾斜する傾斜状態に突設されていることを特徴とする請求項４又は５記載の座位又は仰臥位で使用する運動器具。
【請求項８】
前記支持部は、前記基板で所要長さに突設されたコイルバネを以て構成されていることを特徴とする請求項４〜７の何れかに記載の座位又は仰臥位で使用する運動器具。
【請求項９】
前記膝受け部材が前記支持部の軸線回りに正逆回動可能となされていることを特徴とする請求項８記載の座位又は仰臥位で使用する運動器具。
【請求項１０】
前記膝受け部材の左端側と右端側は、使用者が手で把持するための把持用突出部とされていることを特徴とする請求項１〜３の何れかに記載の座位又は仰臥位で使用する運動器具。
【請求項１１】
前記膝受け部材の長さ方向の中央部及び前記支持部の何れか一方に枢着孔が設けられる一方、その他方には、該枢着孔に挿入される枢軸部が設けられており、該枢軸部が該枢着孔に遊挿された状態で、前記膝受け部材が前記上下スイング動を行い得ることを特徴とする請求項１記載の座位又は仰臥位で使用する運動器具。
【請求項１２】
前記枢軸部が前記枢着孔に挿入された状態で、前記膝受け部材が該枢軸部の略軸線回りで正逆回動し得ることを特徴とする請求項１１記載の座位又は仰臥位で使用する運動器具。
【請求項１３】
椅子の着座部の前端で所要長さ突出でき且つ該突出状態で保持される基板が、該着座部の内部又は下面側に収納可能に設けられており、該基板が該着座部の前端から突出した状態で、該基板に設けられ且つ、椅子に着座した使用者の左右の大腿部の間に位置する支持部で、使用者の左右の膝裏部を下方から受ける左右の膝受け部を左右側に具えた膝受け部材の長さ方向の中央部が支持されており、該膝受け部材が該支持部を支点部として、前記左右の膝受け部が交互に上下する上下スイング動を行い得ると共に前後動する前後スイング動を行い得る如くなされており、
又、前記膝受け部材の長さ方向の中央部にハンドルが突設されており、使用者が該ハンドルを把持して、前記膝受け部材に前記上下スイング動と前記前後スイング動を行わせ得ることを特徴とする座位又は仰臥位で使用する運動器具。
【請求項１４】
支柱部材の上端側部分が、椅子に着座した使用者が手で把持するためのハンドルとなされており、左右方向に長い棒状の膝受け部材は、使用者の左右の膝裏部に当接する状態で該膝裏部を下方から受ける左右の膝受け部を左右側に具え、該膝受け部材の長さ方向の中央部が、前記ハンドルの下方部位において支持部で支持されてなり、該膝受け部材が該支持部を支点部として、前記左右の膝受け部が交互に上下する上下スイング動を行い得る如くなされていることを特徴とする座位又は仰臥位で使用する運動器具。
【請求項１５】
左右方向に長い棒状の膝受け部材を有し、該膝受け部材は、使用者の左右の膝裏部に当接する状態で該膝裏部を下方から受ける左右の膝受け部を左右側に具え、該膝受け部材の長さ方向の中央部に設けた取付け部に、上端側の部分が他物に固定される吊下部材の下端側の部分を取り付けてなり、該膝受け部材が該取付け部を支点部として、前記左右の膝受け部が交互に上下する上下スイング動を行い得る如くなされていることを特徴とする座位又は仰臥位で使用する運動器具。
【発明の詳細な説明】
【技術分野】
【０００１】
本発明は、椅子に座った状態や左右の脚部を伸ばした長座姿勢等の座位姿勢や仰臥位姿勢で運動を行うための座位又は仰臥位で使用する運動器具に関するものである。より詳しくは、膝部に体重を掛けない座位姿勢で膝裏部を効果的に押圧刺激できると共に大腿四頭筋の筋力を強化できて膝痛を緩和し得るだけでなく、膝痛疾患のない使用者にあっても、脚部の運動、更には、脚部の運動を通しての全身運動を効果的に行うことができ、高齢者であっても転倒の恐れなく安全に運動できる座位又は仰臥位で使用する運動器具に関するものである。
【背景技術】
【０００２】
膝関節の痛みの原因の中でも変形性膝関節症の割合は高い。変形性膝関節症は、筋力低下、加齢、肥満等の原因により、クッション機能有する膝関節の軟骨が磨り減って骨同士が擦れ合う状態となることにより膝関節の痛みを起こす疾患である。
【０００３】
変形性膝関節症の改善には運動が重要とされており、特に大腿四頭筋の筋力を強化をすることが主流な考え方である。しかし、膝痛の人は、歩いたり走ったりする膝を使った運動を行うことができないために、運動による筋力強化を図ることができないまま膝痛が改善せず、膝痛が悪化することになる。
【０００４】
変形性膝関節症等により生じる膝の痛みを緩和する手段の一つとして、特許文献１が開示する膝装着用サポ−タ−が提案されている。該膝装着用サポ−タ−ａは図４５に示すように、膝ｂの上部に巻き付けて固定される伸縮性を有する上部固定部ｃと、膝ｂの下部に巻き付けて固定される下部固定部ｄと、膝関節の裏ｅを覆うカバ−部ｆとからなり、該カバ−部ｆの内側に、弾力性のある素材からなるパッド部が装着されていた。そして、該上部固定部ｃと該下部固定部ｄと該カバ−部ｆの張力と前記パッド部の弾力とにより該パッド部が膝裏の屈曲部を押し付けるようになすことにより、該パッド部が、膝関節の隙間の後側に挟まった半月板を膝前方に押し、これによって半月板のずれを防止することで、膝関節の間隙を保持して膝の痛みを緩和しようとするものであった。加えて該膝装着用サポ−タ−ａは、膝関節周囲の筋力の低下を補助する補助作用により、膝関節に体重が作用するのを軽減させて膝の痛みを緩和しようとするものであった。
【０００５】
又特許文献２には、膝の痛みの緩和を図るためには、膝関節をある程度拡げて膝関節の間に潤滑液としての関節液を流れやすくすることが重要であるとの観点から、図４６に示す膝痛緩和補助装置ｈが提案されている。該膝痛緩和補助装置ｈは、利用者の膝ｂの裏ｅにあてがわれ利用者が膝ｂを曲げた際の屈曲間隙に挟み付けられて膝関節をてこ状に開かせる立体形状の膝裏あて部材ｊと、該膝裏あて部材ｊをあてがった状態で利用者が膝を曲げても該膝裏あて部材ｊの膝裏への配置状態を保持する保持手段ｋと、該膝裏あて部材ｊを利用者の膝裏にあてがった状態で利用者の足首寄り位置を利用者側へ牽引して強制的に膝を曲げる作用を補助する牽引補助手段ｍとを具えていた。かかる構成を有する膝痛緩和補助装置によるときは、膝関節をてこ状に開かせることができる結果、開いた膝関節へ関節液が流れやすくし軟骨を潤わせて膝部のクッション機能の回復を期待できるので、この面から膝痛緩和を図ることができた。又該膝痛緩和補助装置ｈは、該膝裏あて部材ｊを保持手段ｋに連携させた状態で牽引補助手段ｍを介して膝曲げを補助できるように構成して該膝裏あて部材ｊが膝裏からずれにくくし、これによって高い膝痛緩和を期待せんとするものであった。
【０００６】
前記したように、膝の痛みの緩和を図るためには、膝関節をある程度拡げて膝関節の間に潤滑液としての関節液を流れやすくすることは効果的である。この意味で、特許文献２記載の膝痛緩和補助装置が、利用者が膝を曲げた際の屈曲間隙に挟み付けられて膝関節をてこ状に拡かせる膝裏あて部材を具えることは有効な手段と言える。しかしながら特許文献２には、膝痛緩和に重要な大腿四頭筋の運動を効果的に行う手段については何も記載されておらず、これを示唆する記載も存在しない。
【０００７】
又、特許文献１記載の膝痛緩和サポ−タ−は、特許文献２で指摘されているように、パッド部による膝裏側からの押し付け力が比較的弱いため、膝関節を十分に拡げて該拡げた膝関節の間に潤滑液としての関節液を流れやすくするということができず、膝痛緩和を十分に期待できない恐れがあった。なお特許文献１の段落００２２には、特許文献２では触れられていない大腿四頭筋についての記載がある。即ち同段落には、「上部固定部及び前記下部固定部の張力は、膝を屈伸させる際、膝を屈曲させる方向に作用するため、大腿四頭筋の補助作用がある」と記載されている。しかしながら該膝痛緩和サポ−タ−は、あくまでも大腿四頭筋の補助作用を有するだけであって、膝痛緩和のために重要な大腿四頭筋の筋力強化を図り得るものでは何らなかった。
【先行技術文献】
【特許文献】
【０００８】
【特許文献１】特開２０１４−２３３５０７号公報
【特許文献２】実用新案登録第３１５６７９０号公報
【発明の概要】
【発明が解決しようとする課題】
【０００９】
本発明は前記従来の問題点に鑑みて開発されたものであり、膝裏部のマッサージと大腿四頭筋の筋力強化を膝部に体重を掛けることなく行い得ることを基本として、膝痛を緩和できるに止まらず、膝痛疾患の有無によらず、脚部の運動、更には脚部の運動を通しての全身運動を、無理なく効果的に行うことを可能とし、高齢者であっても転倒の恐れなくこれらの運動を安全に行うことを可能とする座位又は仰臥位で使用する運動器具の提供を課題とするものである。
【課題を解決するための手段】
【００１０】
前記課題を解決するため本発明は以下の手段を採用する。
即ち本発明に係る座位又は仰臥位で使用する運動器具（以下運動器具という）は、左右方向に長い棒状の膝受け部材を有し、該膝受け部材は、使用者の左右の膝裏部に当接する状態で該膝裏部を下方から受ける左右の膝受け部を左右側に具え、該膝受け部材の長さ方向の中央部が支持部で支持されてなり、該膝受け部材が該支持部を支点部として、前記左右の膝受け部が交互に上下する上下スイング動を行い得る如くなされていることを特徴とするものである。
【００１１】
本発明に係る運動器具のより好ましい態様は、左右方向に長い棒状の膝受け部材を有し、該膝受け部材は、使用者の左右の膝裏部に当接する状態で該膝裏部を下方から受ける左右の膝受け部を左右側に具え、該膝受け部材の長さ方向の中央部が支持部で支持されてなり、該膝受け部材が、該支持部を支点部として、前記左右の膝受け部が交互に上下する上下スイング動を行い得る如くなされると共に、前記左右の膝受け部が前後動する前後スイング動を行い得る如くなされていることを特徴とするものである。
【００１２】
前記の各運動器具において、前記膝受け部材を、前記支持部の軸線回りに正逆回動可能とするのがよい。
【００１３】
本発明に係る運動器具のその他の態様は、椅子の着座部に固定される基板の前縁側の、左右の大腿部の間に位置する支持部で、使用者の左右の膝裏部を下方から受ける左右の膝受け部を左右側に具えた膝受け部材の長さ方向の中央部が支持されており、該膝受け部材が、該支持部を支点部として、前記左右の膝受け部が交互に上下する上下スイング動を行い得ると共に前後動する前後スイング動を行い得る如くなされている。又、前記膝受け部材の長さ方向の中央部にハンドルが突設されており、使用者が該ハンドルを把持して、前記膝受け部材に前記上下スイング動と前記前後スイング動を行わせ得ることを特徴とするものである。
【００１４】
本発明に係る運動器具のその他の態様は、椅子の着座部の上面に載置されて使用者の臀部に敷かれる基板の前縁側の、左右の大腿部の間に位置する支持部で、使用者の左右の膝裏部を下方から受ける左右の膝受け部を左右側に具えた膝受け部材の長さ方向の中央部が支持されており、該膝受け部材が、該支持部を支点部として、前記左右の膝受け部が交互に上下する上下スイング動を行い得ると共に前後動する前後スイング動を行い得る如くなされている。又、前記膝受け部材の長さ方向の中央部にハンドルが突設されており、使用者が該ハンドルを把持して、前記膝受け部材に前記上下スイング動と前記前後スイング動を行わせ得ることを特徴とするものである。
【００１５】
前記基板が前記椅子の着座部の上面に載置される場合、前記ハンドルは、垂直状態に突設し、或いは、前方に向け上方に傾斜する傾斜状態に突設するのがよい。
【００１６】
前記基板が前記椅子の着座部の上面に載置される場合、前記支持部は、前記基板で所要長さに突設されたコイルバネを以て構成するのがよい。この場合、前記膝受け部材が前記支持部の軸線回りに正逆回動可能とするのがよい。
【００１７】
前記基板が前記椅子の着座部の上面に載置される場合、前記膝受け部材の左端側と右端側を、使用者が手で把持するための把持用突出部とするのがよい。
【００１８】
本発明に係る運動器具のその他の態様は、前記膝受け部材の長さ方向の中央部及び前記支持部の何れか一方に枢着孔を設ける一方、その他方には、該枢着孔に挿入される枢軸部を設け、該枢軸部が該枢着孔に遊挿された状態で、前記膝受け部材が前記上下スイング動を行い得るように構成するのがよい。この場合、前記枢軸部が前記枢着孔に挿入された状態で、前記膝受け部材が該枢軸部の略軸線回りで正逆回動し得るように構成するのがよい。
【００１９】
本発明に係る運動器具のその他の態様は、椅子の着座部の前端で所要長さ突出でき且つ該突出状態で保持される基板が、該着座部の内部又は下面側に収納可能に設けられており、該基板が該着座部の前端から突出した状態で、該基板に設けられ且つ、椅子に着座した使用者の左右の大腿部の間に位置する支持部で、使用者の左右の膝裏部を下方から受ける左右の膝受け部を左右側に具えた膝受け部材の長さ方向の中央部が支持されており、該膝受け部材が該支持部を支点部として、前記左右の膝受け部が交互に上下する上下スイング動を行い得ると共に前後動する前後スイング動を行い得る如くなされており、又、前記膝受け部材の長さ方向の中央部にハンドルが突設されており、使用者が該ハンドルを把持して、前記膝受け部材に前記上下スイング動と前記前後スイング動を行わせ得ることを特徴とするものである。
【００２０】
本発明に係る運動器具のその他の態様は、支柱部材の上端側部分が、椅子に着座した使用者が手で把持するためのハンドルとなされており、左右方向に長い棒状の膝受け部材は、使用者の左右の膝裏部に当接する状態で該膝裏部を下方から受ける左右の膝受け部を左右側に具え、該膝受け部材の長さ方向の中央部が、前記ハンドルの下方部位において支持部で支持されてなり、該膝受け部材が該支持部を支点部として、前記左右の膝受け部が交互に上下する上下スイング動を行い得る如くなされていることを特徴とするものである。
【００２１】
本発明に係る運動器具のその他の態様は、左右方向に長い棒状の膝受け部材を有し、該膝受け部材は、使用者の左右の膝裏部に当接する状態で該膝裏部を下方から受ける膝受け部を左右側に具え、該膝受け部材の長さ方向の中央部に設けた取付け部に、上端側の部分が他物に固定される吊下部材の下端側の部分を取り付けてなり、該膝受け部材が該取付け部を支点部として、前記左右の膝受け部が交互に上下する上下スイング動を行い得る如くなされていることを特徴とするものである。
【発明の効果】
【００２４】
本発明は以下の如き優れた効果を奏する。
(1) 本発明によるときは、膝部に体重を掛けない座位姿勢や仰臥位姿勢で膝裏部を効果的に押圧刺激できる等、膝裏部に効果的なマッサージ作用を付与できると共に、大腿四頭筋の筋力を強化できて膝痛を緩和し得ることとなる。又、膝痛疾患のない使用者にあっても、脚部の運動、更に、脚部の運動を通しての全身運動を効果的に行うことができる。そして高齢者にあっても、転倒の恐れなく安全に運動することができる。
【００２５】
(2) 前記膝受け部材を、上下スイング動可能とすることに加えて前後スイング動可能とする如く構成する場合は、前記膝裏部に対するマッサージ作用をより効果的に行うことができると共に、大腿四頭筋の筋力をより効果的に強化でき、前記膝痛緩和や前記全身運動をより効果的に行い得ることとなる。
【００２６】
(3) 併せて、前記膝受け部材を前記支持部の軸線回りに正逆回動可能とする場合は、該膝受け部材を、立体的な８の字状を呈する如くスイング動させることが可能となるため、前記膝痛緩和と前記全身運動をより効果的に行い得ることとなる。
【００２７】
(4) 前記運動器具が、椅子の着座部に固定される基板に設けた支持部で前記膝受け部材の長さ方向の中央部が支持される如く構成する場合は、使用者は、左右の足を浮かせて椅子に着座した楽な姿勢で、左右の脚部の重量を利用して左右の膝裏部に押圧刺激を付与でき、該左右の膝裏部を効果的にマッサージできることとなる。又、左右の脚部を伸ばした長座姿勢としての座位姿勢や仰臥位姿勢で運動を行う場合に比し、運動の多様化を図ることができる。
【００２８】
(5) 使用者が椅子に着座した状態で使用される前記運動器具において、前記膝受け部材の長さ方向の中央部にハンドルが、垂直状態乃至、前方に向け上方に傾斜する傾斜状態で突設される場合は、使用者が該ハンドルを手で把持した安定姿勢で運動を行うことができると共に、該ハンドルを適宜に回動操作して脚部や上体に所要の負荷を加えた状態で運動することができる。これによって、膝裏部を多様に刺激でき、膝痛を効果的に緩和できることとなる。又、全身運動をより効果的に行い得ることとなる。この場合において、前記膝受け部材を、前記支持部の軸線回りに正逆回動可能とする場合は、運動の一層の多様化を図ることができる。
【００２９】
(6) 前記支持部を、前記基板で所要長さに突設されたコイルバネを以て構成することとし、且つ、前記膝受け部材を該コイルバネの軸線回りに正逆回動可能とする場合は、該コイルバネは３６０度の何れの方向にも弾性的に屈曲できるため、使用者が前記ハンドルを適宜に回動操作することができる。そして、これにより使用者は、前記膝受け部材を、前記上下スイング動や前記前後スイング動、後述する８の字状スイング動等させることが容易であり、膝痛の緩和や全身運動をより効果的に行い得ることとなる。
【００３０】
(7) 前記膝受け部材を、前記支持部の軸線回りに正逆回動可能とし、且つ、前記膝受け部材の左端側と右端側を、使用者が手で把持するための把持用突出部とするときは、前記膝受け部材にハンドルが突設されていない場合であっても該把持用突出部を使用者が左右の手で把持することによって、使用者は、該膝受け部材を、前記上下スイング動や前記前後スイング動、後述する８の字状スイング動等させることができる。
【００３１】
(8) 前記左右の膝受け部の外端側に左右の膝部止めを設ける場合は、前記膝受け部材を上下スイング動させる際に、前記左右の膝受け部に載せた左右の膝部が、下方に傾斜した該左右の膝受け部から滑り落ちるのを防止できる。
【００３２】
特に、前記左右の膝部止めを、長さ調整可能のバンド部材を用いて構成する場合は、該左右の膝部を、該バンド部材と前記膝受け部材との間で拘束できる。これによって、左右の膝部が下方に傾斜した前記左右の膝受け部から滑り落ちるのを確実に防止できる。又、左右の膝部止めを構造簡素に構成できる。
【００３３】
そして、このように膝部止めを設ける場合、前記左右の膝部止めの配設部位を左右方向で位置変更可能とする場合は、左右の膝部を内側に寄せた状態や左右の膝部を稍離した状態等、所望の状態で該左右の膝部を止めることができる。これによって、左右の膝裏部に対してのマッサージ作用や、左右の脚部の上下運動の負荷状態を変化させることができる。
【図面の簡単な説明】
【００３４】
【図１】本発明に係る運動器具の一例を、これを椅子の座面に設置した状態で示す斜視図である。
【図２】その運動器具を説明する分解斜視図である。
【図３】垂直状態のコイルバネからなる支持部で膝受け部材を水平状態で支持する支持構造を説明する断面図である。
【図４】その運動器具を示す斜視図と、前記コイルバネからなる支持部の屈曲状態を示す断面図である。
【図５】傾斜状態で突出するコイルバネを以てなる支持部材を用いて構成される運動器具を示す分解斜視図である。
【図６】その運動器具を示す斜視図と、傾斜状態で突出するコイルバネを以てなる支持部による膝受け部材の支持状態を示す断面図と、コイルバネからなる支持部の屈曲状態を示す断面図である。
【図７】垂直状態を呈するコイルバネを以てなる支持部で膝受け部材が水平状態で支持されてなる前記運動器具を用いた使用者が、ハンドルを把持して脚部の屈伸運動を繰り返す状態を示す説明図である。
【図８】その運動器具を用いた使用者が、ハンドルを把持して前記膝受け部材を上下スイング動させる運動態様を示す説明図である。
【図９】その運動時における膝部の捩れを説明する模式図である。
【図１０】前記運動器具を用いた使用者が、ハンドルを把持して膝受け部材を前後スイング動させる運動態様を示す説明図である。
【図１１】前記運動器具を用いた使用者が、ハンドルを把持して膝受け部材を８の字状スイング動させる運動態様を説明する説明図である。
【図１２】傾斜状態のコイルバネを用いてなる支持部で膝受け部材を支持してなる運動器具を用いる運動態様を説明する説明図である。
【図１３】ハンドルを具えない運動器具を用いて、膝受け部材を上下スイング動させる運動態様を説明する説明図である。
【図１４】ハンドルを具えない運動器具を用いて、膝受け部材を前後スイング動させる運動態様を説明する説明図である。
【図１５】ハンドルを具えない前記運動器具を用いて、前記膝受け部材に８の字状スイング動を行わせる運動態様を説明する説明図である。
【図１６】ハンドルを具える前記運動器具を用いて使用者が、左右の脚部及び上体の筋肉を緊張させる全身運動を行う運動態様を説明する説明図である。
【図１７】丸棒状の膝受け部材の中央部を、基板の前縁側部分で突設された支持部に設けた垂直軸受孔に遊挿させて構成された運動器具を、その基板を椅子の座面に設置した状態で示す斜視図である。
【図１８】その運動器具の構成を説明する分解斜視図と、断面図である。
【図１９】前記枢軸部を前記支持部に設けた傾斜軸受孔に遊挿して構成された運動器具を示す斜視図と、断面図である。
【図２０】前記垂直軸受孔に前記枢軸部を遊挿して構成された前記運動器具を用いて、その膝受け部材を上下スイング動させる運動態様を説明する説明図である。
【図２１】前記運動器具を用いて前記膝受け部材を上下スイング動させる他の運動態様を説明する説明図である。
【図２２】前記運動器具を用いて左右の脚部を屈伸運動させる運動態様を説明する説明図である。
【図２３】前記運動器具を用いて前記膝受け部材を８の字状スイング動させる運動態様を説明する説明図である。
【図２４】前記運動器具を床面に設置し、使用者が、左右の脚部を伸ばした長座姿勢としての座位姿勢で、前記軸受け部材を上下スイング動させる運動態様を説明する説明図である。
【図２５】支柱部材に対して膝受け部材を十字状の交差状態とし且つ該膝受け部材を上下スイング動可能に結着してなる運動器具を示す斜視図である。
【図２６】その運動器具を用いて前記膝受け部材を上下スイング動させる運動態様を説明する説明図である。
【図２７】その運動器具を用いて左右の膝部の屈伸運動を繰り返す運動態様を説明する説明図である。
【図２８】平板状を呈する膝受け部材の中央部を支持部により上下スイング動可能に支持させてなる運動器具を示す斜視図と、該中央部を該支持部で支持している状態を示す断面図である。
【図２９】その運動器具を用いて、使用者が、左右の脚部を伸ばした長座姿勢としての座位姿勢で、運動器具の前記左右の膝受け部を上下スイング動させる運動態様を説明する説明図である。
【図３０】支柱部材に対して膝受け部材を枢軸を介して回動可能に構成してなる杖型の運動器具を示す斜視図である。
【図３１】左右の膝受け部が膝部止めを具える杖型の運動器具を示す斜視図である。
【図３２】丸棒状呈する膝受け部材本体の長さ方向中央部の上下方向で見た一方側が欠切されてなる膝受け部材を用いる場合において、該欠切部の底面を、上向き状態にして支持部で支持させた場合と、該底面を下向き状態にして支持部で支持させた場合における、水平状態にある左右の膝受け部の上面部の高さの違いを説明する説明図である。
【図３３】前記膝受け部材を吊下部材を用いて吊下してなる運動器具の、左右の膝受け部に左右の脚部を載せた状態を示す説明図である。
【図３４】支持部を、基板の板厚内で設けた軸部として構成してなる運動器具を説明する説明図である。
【図３５】バンド部材を用いて構成された膝部止めを具える杖型の運動器具の使用状態を示す斜視図である。
【図３６】その運動器具を用いて左右の脚部を上下動させている状態を示す正面図と、その場合における膝部の滑り落ちが膝部止めで防止された状態を示す断面図である。
【図３７】膝部止めの他の態様を示す斜視図である。
【図３８】その膝部止めによる膝部の滑り落ち防止作用の一態様を説明する説明図である。
【図３９】その膝部止めによる膝部の滑り落ち防止作用の他の態様を説明する説明図である。
【図４０】膝部止めの他の態様を、膝部止めによって膝部の滑り落ちを防止している状態と共に示す断面図である。
【図４１】膝部止めのその他の態様を、該膝部止めにより膝部の滑り落ちを防止している状態と共に示す断面図である。
【図４２】膝部止めのその他の態様を、これが膝部の滑り落ちを防止している状態で示す断面図である。
【図４３】膝受け部材の上下スイング動における上下振幅の大小を説明する説明図である。
【図４４】図２８に示す運動器具を左右の足裏の土踏まずに押圧刺激を付与するために用いた場合を示す斜視図である。
【図４５】従来の膝痛緩和のための膝装着用サポ−タ−の構成とその問題点を説明する説明図である。
【図４６】膝関節をてこ状に開かせる膝裏あて部材を具える従来の膝痛緩和補助装置を説明する説明図である。
【発明を実施するための形態】
【実施例１】
【００３５】
図１、図８（Ａ）において、本発明に係る運動器具１は、使用者２の左右の膝部３，３（図８（Ａ））の裏面側をなす左右の膝裏部５，５を下方から受ける左右の膝受け部６，６を左右側に具えた膝受け部材７の長さ方向の中央部９が支持部１０で支持されており、該膝受け部材７が、少なくとも、前記左右の膝受け部６，６が交互に上下する上下スイング動をなし得る如く構成されている。以下、これをより具体的に説明する。
【００３６】
前記運動器具１は、本実施例においては図１〜２、図８に示すように、使用者２が前方を向いて椅子１１に着座した状態で使用されるものであり、該椅子１１の着座部１２の上面（座面）１３（図１）に載置されて後側部分１５が使用者２の臀部に敷かれる基板１７を具えている。該基板１７は、例えば矩形板状を呈しており、該基板１７を前記座面１３に載置した状態で、前後方向で見た前縁側部分１９は、図１に示すように、該着座部１２の前縁２０から前方に稍突出状態とされる。該前縁側部分１９の上面２１の、該使用者２の左右の大腿部２２，２２間には前記支持部１０が設けられており、該支持部１０で、前記膝受け部材７の長さ方向の前記中央部９が支持されている（図８（Ａ））。そして該膝受け部材７は、該支持部１０を支点部として、前記左右の膝受け部６，６が交互に上下する上下スイング動（図８）を行い得ると共に前後方向で移動する前後スイング動（図１０）を行い得る如くなされている。
【００３７】
又、前記膝受け部材７の前記中央部９の上面部２３にはハンドル２５が突設されている。該膝受け部材７は、本実施例においては図２〜４に示すように、直径が６５ｍｍ程度である丸棒状を呈し、その前記中央部９で、該膝受け部材７の軸線Ｌと直交する枢着孔２６が貫設されている。該枢着孔２６の上孔部分２６ａは、図３（Ｂ）に示すように、その下孔部分２６ｂよりも拡大した拡大孔部２７とされている。該拡大孔部２７は、該下孔部分２６ｂの上端２９に、拡径する段差部３０が連設され、その外縁で、上端に向けて拡径する円錐状孔部３１が連設されてなる。前記ハンドル２５は、本実施例においては図３（Ａ）（Ｃ）に示すように、下端３２が開放された連結孔３３を有する円筒状を呈しており、該下端３２が前記段差部３０に当接した状態で前記上面部２３で垂直突出状態にある。そして図７、図８、図１１等に示すように、使用者が該ハンドル２５の上部２４を手で把持して前記膝受け部材７を適宜に回動操作することにより、後述のように、体を安定させて多様に運動できることとなる。
【００３８】
前記支持部１０は、本実施例においては図２、図３（Ａ）に示すように、前記基板１７の前記前縁側部分１９に設けた保持孔３５に挿入状態に取り付けられる支持部材３６を用いて構成されている。ここに、前記基板１７の該前縁側部分１９とは、該基板１７が前記座面１３に載置されて後側部分１５が使用者の臀部に敷かれた状態において、前記着座部１２の前縁２０から前方に向けて稍突出状態とされる部分であり、本実施例においては、該基板１７の前後方向で見た両側部分３７ａ，３７ｂの夫々が前記前縁側部分１９とされ得る。そして、該一方の側部分３７ａをなす前縁側部分１９の左右方向中央部位には、軸線が垂直な垂直保持孔３５ａ（前記保持孔３５の一つ）が設けられる一方、他方の側部分３７ｂをなす前縁側部分１９の左右方向中央部位には、図２、図５〜６に示すように、前方に向け上方に傾斜する（例えば４５度の角度で傾斜する）傾斜保持孔３５ｂ（前記保持孔３５の一つ）が設けられている。
【００３９】
前記支持部材３６は、図２、図３（Ａ）に示すように、所要長さのコイルバネ４２の上下端に段部４３，４５を介して上下の挿入軸４６，４７が突設されている。そして図３、図６に示すように、該下の挿入軸４７が前記垂直保持孔３５ａ又は前記傾斜保持孔３５ｂに挿入されることによって、該コイルバネ４２の下の段部４５が、該垂直保持孔３５ａ又は該傾斜保持孔３５ｂの上端周縁部分４９に当接され、この状態で該コイルバネ４２が垂直状態又は傾斜状態で突出し、該コイルバネ４２が前記支持部１０を構成する。  
【００４０】
図３に示すように、前記上の挿入軸４６が前記膝受け部材７の前記枢着孔２６に挿通され、前記上の段部４３が該枢着孔２６の下端周縁部分５０に当接することによって、該膝受け部材７が、図４に示すように、突出状態にある前記コイルバネ４２で支持されて水平状態を呈する。そして該膝受け部材７は、図４で矢印で示すように、前記支持部１０に支持された状態で、該支持部１０の軸線回り（本実施例においては前記コイルバネ４２の軸線回り）に正逆回動できる。
【００４１】
又、該膝受け部材７の前記枢着孔２６の上端で突出した前記上の挿入軸４６の突出部分５１は、図３に示すように、前記ハンドル２５の前記連結孔３３の下端孔部分に挿入される。そして図３（Ａ）（Ｃ）に示すように、該ハンドル２５の下端部分５２が前記拡大孔部２７に挿入され、該ハンドル２５の下端３２が前記段差部３０に当接することによって、該ハンドル２５が、前記膝受け部材７の前記中央部９の上面部２３で、図４（Ａ）に示すように垂直状態に或いは図６に示すように傾斜状態に突設されることとなる。前記コイルバネ４２の弾性変形作用によって、該ハンドル２５は、図４（Ｂ）（Ｃ）、図６（Ｂ）（ｃ）にその屈曲形態の一態様を示すように、３６０度何れの方向にも弾性的に屈曲できる。
【００４２】
次に、前記構成を有する運動器具１を用いて行うことのできる、膝痛緩和のための運動態様を説明する。膝痛を緩和するために必要な運動は、潤滑液としての関節液の分泌を促進でき、且つ、大腿部と下腿部を繋ぐ膝関節内の軟骨部分の隙間を拡げる（以下、膝関節を拡げるともいう）ことができる運動と、大腿四頭筋の筋力強化を図るための運動である。前記膝裏部５を効果的にマッサージすれば、該膝裏部５の血行促進が図られ、骨膜からの関節液の分泌を促進できる。そして膝関節を拡げれば、膝関節内の軟骨部分の隙間に該関節液を流れやすくすることができ、これによって軟骨を潤わせてクッション機能の回復を図ることができる。又、大腿四頭筋は膝関節を持ち上げる機能も有するため大腿四頭筋の筋力強化を図ることは膝痛緩和に有効と言える。
【００４３】
前記構成を有する運動器具１の前記ハンドル２５の突出状態には、図４に示すような垂直突出状態と図６に示すような傾斜突出状態があるが、主として、垂直突出状態を呈するハンドル２５を具える運動器具１を用いる場合について以下説明する。
【００４４】
図７（Ａ）は、前記基板１７を椅子１１の前記座面１３に載置して使用者が椅子１１に着座した状態を示している。該基板１７は、図１に示すように、前後方向に長い状態で該座面１３に載置され、該基板１７の前縁側部分１９が前記着座部１２の前縁２０から前方に稍突出状態とされ、使用者２が、その臀部を該基板１７上に載せて着座している。そして使用者２は、その左右の脚部５５，５５の膝裏部５，５を前記左右の膝受け部６，６上に載せて左右の下腿部５６，５６を垂らし、左右の手５７，５７で前記ハンドル２５の上部２４を把持している。この状態で左右の足５９，５９は床面６０から浮き上がっており、該左右の膝裏部５，５には、使用者の左右の脚部５５，５５の重量によって、略真上の上側部分に押圧刺激が付与されている。即ち、該左右の膝裏部５，５が、使用者自身の脚部５５，５５の重量によってマッサージされることとなる。
【００４５】
［第１の運動態様について］
図７（Ｂ），図７（Ｃ）は、ハンドル２５が垂直突出状態において、使用者が、その左右の下腿部５６，５６の重量を利用して左右の脚部５５，５５の屈伸運動を繰り返している状態を示している。図７（Ｂ）は、左右の脚部５５，５５を前方に向けて伸ばした状態を示し、又図７（Ｃ）は、左右の脚部５５，５５を後方に屈曲させた状態を示している。この運動によって、前記左右の膝受け部６，６により左右の膝裏部５，５に対して繰り返しの押圧刺激を与えることができる。これによって、該左右の膝裏部５，５が効果的にマッサージされることとなり、該左右の膝裏部５，５の血行促進と膝関節の拡大が図られることとなる。又、これらの運動を通して大腿四頭筋の筋力を強化できることともなる。そしてこれらの運動は、左右の足５９，５９が床面６０から浮き上がった状態で行われるため、左右の膝部３，３に体重を掛けることなく楽に行うことができる。然して、かかる運動によって膝痛を緩和できることとなる。なお、左右の膝部３，３を屈曲させたときに、ふくらはぎを前記基板１７の前縁部５８（図７（Ｃ））に当てる場合は、ふくらはぎのマッサージも行い得る。
【００４６】
［第２の運動態様について］
図８、図９は、使用者２が前記ハンドル２５を左右方向で回動させて前記膝受け部材７を上下スイング動させる状態を示している。図８（Ｂ）は、前記ハンドル２５が垂直突出状態を呈する中立の状態（図８（Ａ））から該ハンドル２５を左回りＦ１に回動させた状態を示し、図８（Ｃ）は、同中立の状態（図８（Ａ））から該ハンドル２５を右回りＦ２に回動させた状態を示している。
【００４７】
垂直突出状態にあるハンドル２５を左回りＦ１に回動させた場合は、左の脚部５５ａが図８（Ａ）に示す状態から図８（Ｂ）に示す状態に下がる過程において、前記左の膝裏部５ａが前記左の膝受け部６ａに受けられた状態で、左の膝部３ａがその軸回りで該左の膝受け部６ａ上を、図９（Ａ）に示す状態から、図９（Ｂ）に矢印ｆ１で示すように外向きに転がる状態となる。図９（Ａ）（Ｂ）においては、左の膝部３ａの外周面部６２ａ上の任意の点６３ａが、矢印ｆ１に示すように左下方に移動した状態が示されている。この転がる状態は、該左の脚部５５ａが、重力の作用によって左回り（外向き）ｆ１に所要に捩じれることによって生ずるものである。又、右の膝部３ｂが図８（Ａ）に示す状態から図８（Ｂ）に示す状態に持ち上げられる過程において、前記右の膝裏部５ｂが前記右の膝受け部６ｂに受けられた状態で、該右の膝部３ｂがその軸回りで該右の膝受け部６ｂ上を、図９（Ｃ）に示す状態から、図９（Ｄ）に矢印ｆ２で示すように内向きに転がる状態となる。図９（Ｃ）（Ｄ）においては、右の膝部３ｂの外周面部６２ｂ上の任意の点６３ｂが、矢印Ｆ２で示すように左下方に移動した状態が示されている。この転がる状態は、該右の膝部３ｂが、重力の作用によって左回りｆ２に所要に捩じれることによって生ずるものである。
【００４８】
垂直突出状態にあるハンドル２５を、図８（Ｃ）に示すように右回りＦ２に回動させた場合は、前記とは逆の現象が生ずる。即ち、垂直突出状態にあるハンドル２５を右回りＦ２に回動させた場合は、右の膝部３ｂが図８（Ａ）に示す状態から図８（Ｃ）に示す状態に下がる過程において、前記右の膝裏部５ｂが前記右の膝受け部６ｂに受けられた状態で、該右の膝部３ｂがその軸回りで該右の膝受け部６ｂ上を、図９（Ｅ）に示す状態から、図９（Ｆ）に矢印ｆ３で示すように外向きに転がる状態となる。図９（Ｅ）（Ｆ）においては、右の膝部３ｂの外周面部６２ｂ上の任意点６３ｂが、矢印ｆ３で示すように右下方に移動した状態が示されている。この転がる状態は、該右の膝部３ｂが、重力の作用によって右回りｆ２に所要に捩じれることによって生ずるものである。又、左の膝部３ａが図９（Ｇ）に示す状態から図９（Ｈ）に示す状態に持ち上げられる過程において、前記左の膝裏部５ａが前記左の膝受け部６ａに受けられた状態で、該左の膝部３ａがその軸回りで該左の膝受け部６ａ上を、図９（Ｇ）に示す状態から、図９（Ｈ）に矢印ｆ４で示すように内向きに転がる状態となる。図９（Ｇ）（Ｈ）においては、左の膝部３ａの外周面部６２ａ上の任意の点６３ａが、矢印ｆ４で示すように右下方に移動した状態が示されている。この転がる状態は、該左の膝部３ａが、重力の作用によって右回りに所要に捩じれることによって生ずるものである。
【００４９】
このように前記ハンドル２５の左右方向での回動操作を繰り返すことによって、左右の膝部３，３に対して外側への転がり運動と内側への転がり運動を交互に行うことができ、膝部３，３の捩れによる効果的なマッサージ作用が得られることとなる。より具体的には、左右の膝部３，３が転がることによって、前記左右の膝裏部５，５の、前記左右の膝受け部６，６で押圧刺激される部位が内側から外側に向けて変化し、或いは、外側から内側に向けて変化するので、該膝裏部５，５が満遍に押圧刺激される。そして本実施例に係る運動器具１によるときは、前記左右の膝受け部６，６の上下動をハンドル２５の左右方向での回動操作によって使用者自身が行うことができるため、該ハンドル２５の回動操作の速度調節によって、左右の膝受け部６，６の、交互に行われる上下動の速度を調節でき、又、該上下動の振幅を所望に調節でき、これらの調節を、運動中において変化させることもできる。又、左右の膝部３，３の下方への動きをハンドル２５の左右方向での回動操作に任せて行うのではなく、前記コイルバネ４２を左右方向で屈曲させる際に発生する付勢力に抵抗する力で左右の脚部３，３を下方へ積極的に下げることとすれば、左右の膝裏部５，５に対する押圧刺激をより強くでき、又、大腿四頭筋の筋力がより効果的に強化される。
【００５０】
これらのことから、前記ハンドル２５の左右方向での回動操作を繰り返す該第２の運動形態によるときは、左右の膝裏部５，５に対する単位時間当りの押圧刺激の頻度を変えたり、押圧刺激の強弱を変えることができ、効果的なマッサージ作用が得られることとなる。又、かかる効果的なマッサージに伴い、該膝裏部５，５の血行促進と膝関節の拡大が図られることとなり、更に、これらの運動を通して大腿四頭筋の筋力を強化できることともなる。そして、これらの運動を左右の足５９，５９が床面６０から浮き上がった状態で行うことができるため、左右の膝部３，３に体重を掛けることなく無理なく行うことができる。然して、かかる運動によって膝痛を緩和できることとなる。
【００５１】
［第３の運動態様について］
図１０は、使用者が前記ハンドル２５を前後方向で回動させて前記膝受け部材７を前後スイング動させる状態を示している。図１０（Ａ）は、該ハンドル２５を前方向Ｆ３に回動させた状態を示し、図１０（Ｂ）は、該ハンドル２５を後方向Ｆ４に回動させた状態を示している。
【００５２】
前記ハンドル２５を前後方向で回動させることにより、前記左右の膝受け部６，６が左右の膝裏部５，５の前側部分から後側部分に亘って、且つ、該左右の膝裏部５，５の夫々の左右方向全幅に亘って効果的に押圧刺激を付与でき、これを繰り返すことによって該膝裏部５，５を満遍なくマッサージできる。この際、前記ハンドル２５の前方に向けての回動角度をより大きくすることによって、左右の膝裏部５，５のより前側部分（ふくらはぎに近い部分）にまで押圧刺激を付与できると共に、該ハンドル２５の後方に向けての回動角度をより大きくすることによって、左右の膝裏部５，５のより後側部分（大腿部の付け根に近い部分）にまで押圧刺激を付与できることとなる。そして、ハンドル２５を前方に向けてより大きな角度に回動させ、その回動した状態を一定時間持続させることにより、その間、左右の膝裏部５，５の前側部分に押圧刺激を与え続けることができ、かかることの相乗作用によって、該左右の膝裏部５，５が効果的にマッサージされることとなり、該左右の膝裏部５，５の血行促進と膝関節の拡大が図られることとなる。
【００５３】
そして本実施例に係る運動器具１によるときは、前記膝受け部材７の前後動をハンドル２５の前後方向での回動操作によって使用者自身が行うことができる。そのため使用者は、該ハンドル２５の前後動の速度調節を行うことができ、又、該前後動の振幅を所要に調節でき、これらの調節を、運動中において変化させることもできる。又、左右の膝部３，３の前後方向の動きをハンドル２５の前後方向での回動操作に任せて行うのではなく、使用者が該ハンドル２５を把持した状態で左右の脚部５５，５５の前後方向での移動を積極的に強く行うこととすれば、大腿四頭筋の筋力がより効果的に強化される。
【００５４】
これらによって、左右の膝裏部５，５の血行促進と膝関節の拡大が図られることとなり、特に左右の膝裏部５，５を、そのより前側で押圧刺激するときは、膝関節をより効果的に拡げることが可能となる。又、これらの運動を通して大腿四頭筋の筋力を強化できることともなる。そして、これらの運動を、左右の足５９，５９が床面６０から浮き上がった状態で行うことができるため、膝部に体重を掛けることなく無理なく行うことができる。然して、かかる運動によって膝痛を緩和できることとなる。
【００５５】
［第４の運動態様について］
本実施例に係る運動器具１によるときは、前記したように、前記膝受け部材７が上下スイング動と前後スイング動を行うことができ、又、該膝受け部材７が前記支持部１０の軸線回りで正逆回動でき、しかも該支持部１０がコイルバネ４２を以て構成されているために、前記ハンドル２５の回動操作によって該コイルバネ４２を３６０度何れの方向にも弾性的に屈曲させることができる。
【００５６】
かかることから該運動器具１によるときは、前記ハンドル２５の旋回回動操作によって、前記左右の膝受け部６，６を例えば図１１に示すように、立体的な８の字状を呈する如くスイング動（以下、８の字状スイング動ともいう）させることができる。該ハンドル２５は、図１１において、Ａ→Ｂ→Ｃ→Ｄ→Ａと回動操作される。この８の字状スイング動は、該ハンドル２５の回動操作によって、左右の膝受け部６，６をより小さい８の字状スイング動としたり、より大きい８の字状スイング動とする等、適宜にスイング動させることができる。かかる８の字状スイング動によるときは、左右の膝受け部６，６の上下動に伴う膝部の運動と、前記膝受け部材７の前後動に伴う膝部３，３の運動を同時に行うことができる。又、左右の膝受け部６，６を左右の膝裏部５，５に対して、左右方向に対し傾斜した方向でも当てることができる等、該膝裏部５，５に対して多様な押圧刺激を、刺激を与える部位と押圧刺激の強さを変えて付与できる。又、８の字状スイング動を行わせる際に、この動きをハンドル２５の旋回回動操作に任せて行うのではなく、使用者がハンドル２５を軽く把持した状態で左右の脚部の移動を力を入れて積極的に強く行うこととすれば、左右の膝裏部５，５に対する押圧刺激をより強くでき、大腿四頭筋の筋力を強化できることともなる。
【００５７】
これらによって、前記左右の膝裏部５，５の効果的なマッサージ作用と、前記左右の膝部３，３の転がりに伴う効果的なマッサージ作用と、左右の膝受け部６，６の前後動に伴う効果的なマッサージ作用が得られ、これらの相乗作用によって左右の膝裏部５，５の血行促進と膝関節の拡張を図ることができる。然して、これらの運動によって膝痛を緩和できることとなる。そして使用者が、ハンドル２５を把持してかかる８の字状スイング動に伴う運動を行うことは、左右の脚部の筋肉だけでなく腕部や腰部等の筋肉を刺激することになるため、全身運動を行うことにもなる。
【００５８】
図１２に示す運動器具１は、前記支持部１０をコイルバネ４２を用いて構成する場合において、図６に示すように、前記下の挿入軸４７を前記基板１７に設けた傾斜保持孔３５ｂに挿入し、前記上の挿入軸４６をハンドル２５の連結孔３３に挿入した状態を示すものであり、該ハンドル２５が前方に向け上方に突出した状態とされている。該運動器具１にあっては、その自由状態において、前記支持部１０が前方に向け斜め上方に突出するため、この自由状態で左右の膝受け部６，６に左右の膝部３，３を載せると、左右の脚部５５，５５の重量により該左右の膝受け部６，６が、左右の膝裏部５，５の夫々の、主として前側部分に押圧刺激を付与することとなる。又この場合においても、ハンドル２５が垂直状態を呈する場合と同様にして、使用者が該ハンドル２５を適宜に回動操作することにより、前記膝受け部材７に、前記上下スイング動や前後スイング動、更にはこれらの組み合わせからなる八の字状スイング動等を行わせることができ、前記と同様にして膝痛の緩和を図ることができる。
【００５９】
［その他の運動態様について］
前記構成を有する運動器具１は、前記ハンドル２５を手で持つことなく或いは該ハンドル２５を取り外した状態で使用することもできる。図１３〜１５は、前記ハンドル２５を取り外した状態で左右の脚部５５，５５を動かすことだけによって前記膝受け部材７に前記上下スイング動や前記前後スイング動を行わせる場合を示すものである。
【００６０】
図１３は、左右の膝裏部５，５を左右の膝受け部６，６に載せた状態で該左右の脚部５５，５５を、前記コイルバネ４２を左右方向で屈曲させる際に発生する付勢力に抵抗して交互に下げることによって、前記膝受け部材７に前記上下スイング動を行わせている状態を示している。
【００６１】
図１４（Ａ）は、左右の膝裏部５，５を左右の膝受け部６，６に載せて左右の下腿部５６，５６を図７（Ａ）に示すと同様にして垂らした状態で、前記コイルバネ４２を屈曲させる際の付勢作用に抵抗して左右の膝部３，３を使用者の手前に引き付けることにより前記膝受け部材７を後方に移動させた状態を示している。この状態において前記左右の膝受け部６，６は、前記コイルバネ４２の付勢作用により、前記左右の膝裏部５，５を前方に向けて弾性的に押圧する。図１４（Ｂ）は、左右の膝部３，３を前方に向けて押し出して前記膝受け部材７を前方に移動させた状態を示している。この状態において前記左右の膝受け部６，６は、前記コイルバネ４２の付勢作用により、前記左右の膝裏部５，５を後方に向けて弾性的に押圧する。このようにして膝受け部材７を前後動させる運動を繰り返すことにより、左右の膝裏部５，５を効果的にマッサージでき、膝関節を効果的に拡げることができる。加えて、このようにして左右の膝部３，３を前方位置や後方位置に移動させる運動は、前記コイルバネ４２の付勢力に抵抗した運動となるため、大腿四頭筋の筋力を強化できることともなる。これらによって、前記と同様にして膝痛の緩和を図り得ることとなる。
【００６２】
かかる膝受け部材７の上下スイング動と前後スイング動は、前記コイルバネ４２を前方に向け上方に傾斜状態としてなる運動器具１によっても同様に行うことができる。この場合は、コイルバネ４２が前方突出の傾斜状態にあることから、前記膝受け部材７を後方に向けて回動させた状態において、左右の膝受け部６，６が左右の膝裏部５，５の前側部分を、前方に向けて弾性的に押圧する押圧力をより大きなものとなし得る。
【００６３】
ハンドル２５を具えない該運動器具１にあっても、図１５に示すように、前記膝受け部材７の長さを比較的長く形成して前記膝受け部６，６の外側に外側把持部６５，６５を設ける場合は、該左右の外側把持部６５，６５を使用者が左右の手５７，５７で把持して前記膝受け部材７に立体的な８の字状スイング動を行わせることにより、前記ハンドル２５を具えて行う前記運動器具１におけると同様に、左右の膝裏部５，５に多様な押圧刺激を付与できることとなる。
【００６４】
前記構成を有する運動器具１によるときは、これがハンドル２５を有する場合も有さない場合も、左右の膝裏部５，５を前記左右の膝受け部６，６に載せて運動している間、左右の足５９，５９は床面６０から浮き上がった状態にある。従って使用者は、膝痛疾患の有無によらず、左右の膝部３，３に体重が掛からない状態で、膝裏部の刺激される部位を自由に変えることができ、又、その刺激の強さも自由に変えることができる。これによって使用者は、脚部、腰部、肩部、背中部、腕部等の全身運動乃至これに近い運動を行うことができる。
【００６５】
図１６は全身運動の一態様を示すものであり、前記運動器具１が前記ハンドル２５を具える場合において、水平状態にある前記膝受け部材７の前記左右の膝受け部６，６に左右の膝裏部５，５を載せると共に左右の下腿部５６，５６を垂らした状態で、使用者が左右の手５７，５７でハンドル２５を垂直状態にして把持し、且つ、左右の膝部３，３が左右の膝受け部６，６を力強く下方に押圧した状態とし、この状態で使用者は、該ハンドル２５を垂直状態に把持したまま腰部を右回りに強く捩じっている。これによって使用者は、左右の脚部５５，５５及び、腰部を含む上体６６の筋肉を緊張させることができ効果的な全身運動を行い得ることとなる。
【００６６】
本実施例に係る運動器具１によって全身運動を行うその他の態様としては、例えば、前記支持部材７の前記コイルバネ４２のバネ剛性を変更したり、前記ハンドル２５を上下スイング動させる際において左右の膝部３，３の押し下げ力を使用者が自ら調節したり、或いは、ハンドル２５を前後スイング動させる際において左右の膝部３，３を使用者側に引き付ける引き付け力や左右の膝部３，３を前方に押し出す押し出し力を使用者が自ら所要に調節することにより行うことができる。更には、使用者がハンドル２５を旋回回動操作する際に該ハンドル２５に加える力を使用者が所要に設定すること等によって、又、これらの力の入れ加減を所要に調節しながら、膝受け部材７を上下スイング動させる速度や前後スイング動、８の字状スイング動させる速度を変える等によって、使用者は、膝部に体重を掛けることなく、適切な負荷で全身運動を行うことができる。
【００６７】
例えば、足踏み運動や自転車漕ぎ運動、歩行運動、早歩き運動、ランニング運動等の全身運動を行うことができる。そしてこれらの運動は、膝痛の使用者であっても膝痛のない使用者であっても効果的に行うことができる。又、該運動器具１は、子供から大人まで使用できる。高齢者にあっても、転倒する等の恐れなく安全に運動できることから、該運動器具１は、一般家庭においての他、例えば介護施設等で用いて好ましい。
【実施例２】
【００６８】
図１７〜２０は、本発明に係る運動器具１の他の実施例を示すものであり、椅子１１の座面１３に載置されて使用者の臀部に敷かれる基板１７を具えている。そして、該基板１７の、左右の大腿部２２，２２間に位置する支持部１０を支点部として、使用者の左右の膝裏部５，５を下方から受ける左右の膝受け部６，６を左右側に具えた膝受け部材７の長さ方向の中央部９が下方から支持されており、前記膝受け部材７が、前記左右の膝受け部６，６が交互に上下する上下スイング動を行い得るようになされている。
【００６９】
前記基板１７は図１７〜１８に示すように、前記座面１３の前後方向に長い板状を呈し、その前縁側部分１９の前縁５８は、前方に突の円弧状に形成されている。
【００７０】
前記支持部１０は図１７〜１８に示すように、前記前縁側部分１９の上面６７の中央部位で立設された角柱状を呈しており、その上端部分は、前方から見て台形状に形成されている。そして該支持部１０の上端面６９の中央部には、図１８に示すように、軸線が上下方向である円形の垂直軸受孔７０が設けられている。又、該支持部１０の前面７１の上側部分において、後方に向け斜め下方に傾斜する軸線を有した傾斜軸受孔７２が設けられている。
【００７１】
又、前記膝受け部材７は、本実施例においては直径が３２ｍｍ程度で長さが６００ｍｍ程度である丸棒状に構成されている。そして、その長さ方向の中央部７５で、上下方向に貫通する如く、例えば円柱状軸部７３が固定状態に挿通され、該円柱状軸部７３の上下部分は、その長さ方向の中央部７５の上下で突設されて枢軸部７６，７６とされている。
【００７２】
該両枢軸部７６，７６は、図１８（Ｂ）に示すように、前記垂直軸受孔７０に遊挿状態に挿入されると共に、図１９（Ｂ）に示すように、前記傾斜軸受孔７２に遊挿状態に挿入される如くなされている。該枢軸部７６は１本でもよいのであるが、本実施例においては、何れか一方の枢軸部７６が損傷した場合に備えて予め２本の枢軸部７６，７６を設けている。
【００７３】
そして本実施例においては、前記枢軸部７６の径を８ｍｍ程度に設定すると共に、前記垂直軸受孔７０と前記傾斜軸受孔７２の直径を該枢軸部７６の径より大きい１５ｍｍ程度に大きく設定し、該枢軸部７６を該垂直軸受孔７０と該傾斜軸受孔７２に遊挿状態となし得るように構成されている。
【００７４】
図１７〜１８は、前記何れか一方の枢軸部７６を前記垂直軸受孔７０に遊挿させた状態を示しており、前記膝受け部材７は水平状態を呈している。該遊挿された状態で、該膝受け部材７は前記垂直軸受孔７０の略軸線回りに正逆回転できる。又該膝受け部材７は、図２０に示すように、前記左右の膝受け部６，６が交互に上下する上下スイング動を行うことができる。
【００７５】
図１９は、前記枢軸部７６を前記傾斜軸受孔７２に遊挿した状態を示しており、前記膝受け部材７は、前記傾斜軸受孔７２の略軸線回りに正逆回転でき、前記左右の膝受け部６，６が交互に上下（この場合は、前記傾斜軸受孔７２の軸線と略直交する面内での上下）する上下スイング動を行い得る。
【００７６】
図２０〜２４は、膝痛を緩和するために使用者が該運動器具１を用いて行っている運動態様の一例を示すものであり、該運動器具１は、前記膝受け部材７の前記枢軸部７６が前記垂直軸受孔７０に遊挿されている。
【００７７】
図２０、図２１は、使用者２がその左右の膝裏部５，５を前記左右の膝受け部６，６に載せて、左右の膝部３，３を交互に上下動させる運動を行っている状態を示しており、左右の足５９，５９は床面６０から浮き上がった状態にある。この運動によって、前記左右の膝受け部６，６が左右の膝裏部５，５に対して押圧刺激を付与できる。又、前記膝受け部材７の上下スイング動によって、実施例１で説明したと同様に、左右の膝部３，３を前記左右の膝受け部６，６上で転がり運動させることもできる。かかる転がり運動をさせることにより、左右の膝部３，３の捩れによる効果的なマッサージ作用が得られることとなる。より具体的には、左右の膝部３，３が前記膝受け部６，６上で転がることにより、前記左右の膝裏部５，５の、前記左右の膝受け部６，６で押圧刺激される部位が内側から外側に向けて変化し、或いは、外側から内側に向けて変化するので、膝裏部５，５が満遍に押圧刺激される。これによって左右の膝裏部５，５が効果的にマッサージされることとなり、該左右の膝裏部５，５の血行促進と膝関節の拡大が図られることとなる。又、これらの運動を通して大腿四頭筋の筋力を強化できることともなる。そしてこれらの運動は、左右の足５９，５９が床面６０から浮き上がった状態で行われるため、左右の膝部３，３に体重を掛けることなく無理なく行うことができる。然して、かかる運動によって膝痛を緩和できることとなる。
【００７８】
特に本実施例においては、前記膝受け部材７の長さが比較的長く形成されており、その左端側と右端側には、使用者が手で把持するための外側把持部７７，７７が設けられている。そのため使用者２は、該左右の外側把持部７７，７７を左右の手で把持して前記膝受け部材７を強制的に上下スイング動をさせることもできる。このように左右の手で左右の外側把持部７７，７７を把持して前記膝受け部材７に上下スイング動を行わせる場合は、体が安定するために左右の膝部３，３の上下動を行い易く、又、腰部を含む上体の筋肉を緊張させることができて効果的な全身運動を行い得ることともなる。
【００７９】
図２２は、前記左右の外側把持部７７，７７を使用者が左右の手５７，５７で把持して前記膝受け部材７を略水平に保持し、左右の膝裏部５，５を前記左右の膝受け部６，６に載せた状態で、左右の脚部５５，５５を前方に向けて伸ばした状態（図２２（Ｂ））と、左右の脚部５５，５５を後方に屈曲させた状態（図２２（Ｃ））を、左右の脚部５５，５５について同時に行っている状態を示し、該左右の脚部５５，５５の屈伸運動を繰り返している。かかる運動を行うことによって、左右の膝裏部５，５を効果的にマッサージでき、前記と同様にして膝痛を緩和できることとなる。
【００８０】
図２３は、使用者２が、前記左右の外側把持部７７，７７を左右の手５７，５７で把持して前記膝受け部材７に８の字状スイング動を行わせている状態を示している。これによって使用者は、前記と同様にして膝痛の緩和を図ることができ、又、全身運動を行い得ることとなる。
【００８１】
図２４は、前記枢軸部７６を前記垂直軸受孔７０に遊挿した状態にある前記運動器具１の前記基板１７を床面（本実施例において床面は、絨毯面や畳面も含む）６０に敷いて使用者がその臀部を該基板１７の後側部分に載せ、且つ、左右の脚部５５，５５を伸ばした長座姿勢としての座位姿勢で運動を行っている状態を示している。この場合は、左右の膝裏部５，５の上側部分が主として押圧刺激を受ける状態で運動できる。使用者は、左右の膝裏部５，５を前記左右の膝受け部６，６に載せた状態で、積極的に左右の膝部３，３を交互に上下させることにより、前記膝受け部材７を前記上下スイング動させることができる。これによって、前記と同様にして膝痛緩和を図り得る。
【００８２】
これらの左右の脚部５５，５５の運動は、前記枢軸部７６を前記傾斜軸受孔７２に遊挿してなる前記運動器具１によっても同様に行うことができる。この場合は、左右の膝裏部５，５の前側部分が主として押圧刺激を受ける状態で運動できる。
【００８３】
又使用者は、本実施例に係る運動器具１を用いて、実施例１における場合と同様にして、膝部に体重を掛けることなく適切な負荷で全身運動を行うことができる。
【実施例３】
【００８４】
図２５〜２７は、本発明に係る運動器具１のその他の実施例を示すものであり、床面６０等の設置面７８で立設され且つ上側部分が把持部７９とされた支柱部材８０と、該支柱部材８０の該把持部７９の下側部位８１に上下回動可能に取り付けられた膝受け部材７とからなる。該支柱部材８０と該膝受け部材７は共に丸棒状に構成されており、該支柱部材８０の径は２５ｍｍ程度で、その長さは８００ｍｍ程度に設定されている。又、膝受け部材７の径は３０ｍｍ程度に設定され、その長さは５００ｍｍ程度に設定されている。
【００８５】
該膝受け部材７は、使用者の左右の膝裏部５，５を下方から受ける膝受け部６，６を左右側に具えており、水平状態でその中央部８２が、前記支柱部材８０の前記下側部位８１に、該支柱部材８０と該膝受け部材７とが直角に交差する状態で当接せしめられ、両者の当接部が、例えば紐としての結着材８５を用いて結着されている。そして該結着部８６は、前記膝受け部材７が、前記左右の膝受け部６，６が交互に上下する上下スイング動を行うための支持部１０とされている。なお、該膝受け部材７の前記中央部８２は、前記支柱部材８０に枢軸（図示せず）を介して枢着されてもよい。この場合は、該枢軸が前記支持部１０を構成する。
【００８６】
図２６〜２７は、かかる構成を有する運動器具１の使用状態を示すものである。図２６は、その一使用状態を示しており、使用者２は、前記支柱部材８０を立設状態にして左右の手５７，５７で前記把持部７９を把持し、左右の膝裏部５，５を前記左右の膝受け部６，６に載せ、左右の足５９，５９が床面６０から浮き上がった状態において、左右の脚部５５，５５を積極的に交互に上下運動させている。この上下運動によって、左右の膝裏部５，５に左右の膝受け部６，６による押圧刺激を付与できると共に、該左右の膝受け部６，６上で左右の膝部３，３に転がり運動を起こさせることができる。そしてこれらの運動を、膝部３，３に体重を掛けることなく無理なく行うことができる。然して、かかる上下運動を行うことによって左右の膝裏部５，５が効果的にマッサージされ、実施例１で説明したところと同様にして膝痛緩和が図られる。
【００８７】
図２７は、該運動器具１の他の使用状態を示すものであり、使用者は、前記支柱部材８０を立設状態にし、左右の手５７，５７で前記把持部７９を把持し、前記膝受け部材７が水平状態において左右の膝裏部５，５を前記左右の膝受け部６，６に載せ、左右の足５９，５９が床面６０から浮き上がった状態において、左右の脚部５５，５５を前方に向けて伸ばした状態と、左右の脚部５５，５５を後方に屈曲させた状態を繰り返している。かかる屈伸運動を繰り返すことによって左右の膝裏部５，５が効果的にマッサージされ、実施例１で説明したところと同様にして膝痛緩和が図られる。  
【００８８】
又使用者は、本実施例に係る運動器具１を用いて、実施例１における場合と同様にして、膝部に体重を掛けることなく適切な負荷で全身運動を行うことができる。
【実施例４】
【００８９】
左右の脚部５５，５５を伸ばした長座姿勢で使用し得る運動器具１の一例としては、実施例２で示した運動器具１があるが、ここでは、その他の実施例を説明する。図２８〜２９は、その一例を示すものであり、左右方向に長い矩形板状を呈する基板１７の上面２１の中央部で支持部１０が突設されている。そして、該支持部１０を支点部として、使用者の左右の膝裏部５，５を下方から受ける膝受け部６，６を左右側に具えた膝受け部材７の左右方向の中央部８７が下方から支持されている。これによって該膝受け部材７が、該左右の膝受け部６，６が交互に上下する上下スイング動をなし得る如く構成されている。
【００９０】
前記支持部１０は、平面視で前後方向に稍長い長方形状の直方体状を呈しており、前方から見て上部には、前後方向に長い三角形状の支点部１０ａが設けられている。又、前記左右膝受け部６，６は、前後方向にある程度の幅を有する（例えば４０ｍｍ程度の幅を有する）平板状に構成されており、その下面部９０の左右方向の中央部には、前記三角形状の支点部１０ａを嵌め入れるための三角形状の溝部９１が形成されている。
【００９１】
そして本実施例においては、該三角形状の溝部９１に該三角形状の支点部１０ａを嵌め入れた状態で、例えば、該溝部９１の左右側に設けられた孔部９２と、前記支点部１０ａの下側で且つ前後方向の中央部位に設けられた、左右方向に貫通した孔部９３とに結着紐９５を通して結着することによって、平板状を呈する前記膝受け部材７が前記支点部１０ａで支持された状態とされている。そして、該膝受け部材７が、前記左右の膝受け部６，６が交互に上下する上下スイング動をなし得る如く構成されている。
【００９２】
本実施例においては、該膝受け部材７が、前後方向にある程度の幅を有する平板状に構成されているため、図２９（Ｂ）に示すように、その前後の角部分９６，９６を使用者の左右の膝裏部５，５に当てることにより、該膝裏部５，５の前側部分と後側部分に比較的大きな押圧刺激を与えることができる。又該膝受け部材７の上面９９が平坦面であるため、前記左右の膝受け部６，６上で、左右の膝部３，３の転がり運動をより安定的に起こさせることができる。そしてこの場合も、かかる上下運動を、膝部３，３に体重を掛けることなく無理なく行うことができる。然して、かかる上下運動を行うことによって左右の膝裏部５，５が効果的にマッサージされ、実施例１で説明したところと同様にして膝痛緩和が図られる。
【実施例５】
【００９３】
本発明は、前記実施例で示したものに限定されるものでは決してなく、「特許請求の範囲」の記載内で種々の設計変更が可能であることはいうまでもない。その一例を挙げれば次のようである。
【００９４】
(1) 本発明に係る運動器具１において、左右の膝部３，３に加える負荷を調節する手段としては、バネ定数の異なるバネ部材（例えば前記コイルバネ４２）を用いて構成された複数種類の前記支持部材３６を用意し、適宜の支持部材を選択して前記支持部１０を構成することの他、同一の支持部材７においてコイルバネ等のバネ部材の弾性変形可能域を所要に設定することにより変更することもできる。
【００９５】
或いは、本発明に係る運動器具１を例えば図２５に示すように、支柱部材８０の上部側で膝受け部材７を直交状態に付設し、該膝受け部材７を、立設した該支柱部材８０に対して正逆傾動可能に構成する場合において、この傾動を行わせる枢軸としてネジ軸を用いることとし、該ネジ軸に螺合するナットの締め付け量を所要に調節することによって前記負荷を調節するということもできる。その他、前記バネ部材は、コイルバネ４２に代えて板バネ等の各種のバネ部材を用いても構成でき、更には、硬質ゴムの弾性復元作用を利用しても構成できる等、各種の弾性復元性を有する部材を用いて構成できる。
【００９６】
更には、前記左右の膝受け部６，６上に左右の膝部３，３が載せられた状態において、該左右の膝部３，３をその上側から手で押圧することとし、その押圧力を調節することにより該左右の膝部３，３の負荷を調節することもできる。
【００９７】
(2) 図３０、図３１は、本発明に係る運動器具１を杖に応用して構成した場合を示すものであり、支柱部材８０と膝受け部材７とを十字状に組み合わせてなる、図２５に示す運動器具１の変形態様のものである。該杖型の運動器具１は、該支柱部材８０を構成する杖本体１００の所要高さ部位に、例えば丸棒状を呈する膝受け部材７の長さ方向の中央部１０１を重ね、該中央部１０１を、該杖本体１００に上下回動可能に連結してなる。図３０にあっては、該中央部１０１を、ボルト等の枢軸１０２を介して回動可能としてなる。又図３１にあっては、該中央部１０１を前記杖本体１００に直角に交差する状態に重ね合わせると共に両者の当接部を、例えば紐としての結着材８５を用いて結着し、該結着部８６は、前記膝受け部材７が、前記左右の膝受け部６ａ，６ｂが交互に上下する上下スイング動を行うための支持部１０とされている。なお、前記左右の膝受け部６ａ，６ｂを交互に上下させるための前記支持部１０は、面状ファスナを結着材として用いて構成する等、公知の各種手段を用いて構成できる。
【００９８】
図３０に示す杖型の運動器具１にあっては、該膝受け部材７の長さ方向を杖本体１００の長さ方向に沿わせた図３０（Ａ）に示す状態において、該運動器具１を杖として用いることができる。この状態で、該膝受け部材７は留め具（図示せず）によって、解除可能に杖本体１００にロックされる。そして、歩行時において膝痛が生じたときは、図３０（Ｂ）に示すように前記膝受け部材７を水平状態に開けば、杖型の運動器具１を構成できる。使用者は、例えば椅子（ベンチ等）１１に着座して、図２６、図２７に示すと同様に左右の膝裏部５ａ，５ｂを押圧刺激できることとなり、これによって膝痛を緩和できることとなる。なお、従来の杖におけると同様にして前記杖本体１００の長さを調節可能とすることにより、前記膝受け部材７の高さを使用者に応じて調整できる。
【００９９】
(3) 膝受け部材７の長さ方向の中央部１０で突設した前記枢軸部７６を、基板１７に設けた支持部１０に設けた前記垂直軸受孔７０や前記傾斜軸受孔７２に遊挿させる前記実施例において、該枢軸部７６を、ピン体やネジ軸を以て構成することもできる。なお、前記とは逆に、該枢着軸７６を前記支持部１０に設けると共に該枢着軸７６を、前記中央部１０に設けた軸受孔に遊挿させるように構成してもよい。又、該枢軸部７６をコイルバネ等の弾性変形可能の部材を以て構成する場合は、該枢軸部７６を前記垂直軸受孔７０や前記傾斜軸受孔７２又は前記中央部１００に設けた軸受孔に、遊びがないか遊びが少ない状態で挿入させることもできる。
【０１００】
(4) コイルバネ４２を用いて前記支持部１０を構成する前記運動器具１において、該コイルバネ４２に代えて、３６０度何れの方向にも回動可能な球体を以てなるジョイント具を用いることも可能である。
【０１０１】
(5) 図３２は、前記膝受け部材７の他の態様を示すものであり、丸棒状を呈する膝受け部材本体の長さ方向の中央部９の上下方向で見た一方側が欠切されておりその底面１０３は、該膝受け部材７の軸線（左右方向の軸線）Ｌと平行する平坦面として形成されている。そして、該平坦面の中央部で、該軸線と直交する前記枢着孔２６が貫設されている。該膝受け部材７は、図３２（Ａ）に示すように前記底面１０３が上向きの状態で、或いは、図３２（Ｂ）に示すように前記底面１０３が下向きの状態で、前記コイルバネ４２を具える前記支持部材３６の上の挿入軸４６が前記枢着孔２６に挿通されている。そして、前記底面１０３を上向き状態にしたときは、前記上の段部４３が前記枢着孔２６の下端縁部１１６に当接する一方、前記底面１０３を下向き状態にしたときは、前記上の段部４３が、該底面１０３に当接する。
【０１０２】
前記底面１０３を下向きにした場合（図３２（Ｂ））と上向きにした場合（図３２（Ａ））とを比較すると、該底面１０３を下向きにした方が、前記左右の膝受け部６ａ，６ｂの上面部（膝部３ａ, ３ｂを受ける面部）１０５，１０５の水平状態の高さを、該底面１０３を上向きにした場合に比べて低くできる。即ち、該底面１０３を上向きにするか下向きにするかによって、水平状態にある前記左右の膝受け部６，６の上面部１０５，１０５の高さを例えば２０〜３０ｍｍ程度変えることができる。この状態で、前記コイルバネ４２は、前記基板１７の前記上面２１と前記膝受け部材７の下面部１０６との間に介在され（図３２（Ａ））、或いは、前記基板１７の前記上面２１と前記膝受け部材７の前記底面１０３との間に介在される（図３２（Ｂ））。
【０１０３】
(6) 図３３は、本発明に係る運動器具１のその他の実施例を示すものであり、前記膝受け部材７を下方から支持する支持部１０を、吊下部材１０７を用いて構成した場合の一例を示すものである。該吊下部材１０７は紐状部材の他、金属製や樹脂製等の線状部材を用いて構成することもできる。図３３においては紐状部材１０７ａを用いて構成されており、該紐状部材１０７ａの下端側の部分１１０を、前記膝受け部材７の長さ方向の中央部に設けた取付け部１１１に掛着等によって取り付けてなる。かかる運動器具１を使用するに際しては、前記紐状部材１０７ａの上端側の部分１１２を、例えばテーブルの縁部１１３に固定した固定具１１５に連結することにより、該紐状部材１０７ａを介して該膝受け部材７が水平状態で吊下された状態となし得る。この状態で、左右の膝受け部６ａ，６ｂに左右の膝部３ａ，３ｂを載せれば、該膝受け部材７に、前記左右の膝受け部６ａ，６ｂが交互に上下する上下スイング動を行わせ得ることとなる。
【０１０４】
(7) 前記支持部１０は、前記基板１７の上面で突出するように構成されることの他、例えば図３４に示すように、基板１７の板厚内で設けられた例えば軸部９４として構成することもできる。この場合は、前記膝受け部材７の長さ方向の中央部で下方に向けて突設された軸受け突部１０４を該軸部９４（支持部１０）で支持させる。
【０１０５】
(8) 図３１、図３５、図３６は、前記膝受け部材７を上下スイング動させる際に、前記左右の膝受け部６ａ，６ｂに載せた左右の膝部３ａ, ３ｂが、下方に傾斜した該左右の膝受け部６ａ，６ｂから滑り落ちないようにするために、左右の膝受け部６ａ，６ｂの外端側に、該左右の膝部を下方から支持するための左右の膝部止め１２０ａ，１２０ｂを設けた場合を示すものであり、例えば、前記した杖型の運動器具１に応用されている。
【０１０６】
前記膝部止め１２０ａ，１２０ｂは、例えば図３１、図３５〜３６に示し、又図３７に示すように、バンド部材１２１を以て構成されている。該バンド部材１２１は、本実施例においては図３１に示すように、左右のバンド片１２１ａ，１２１ｂを用いて構成されており、該左のバンド片１２１ａは、その一端部１２２が前記左の膝受け部６ａの外端側部分１２３に取り付けられており、その他端部１２５に第１の連結部材（本実施例においては第１のバックル部材１２６ａ）１２６が設けられている。又、右のバンド片１２１ｂは、その一端部１２７が前記右の膝受け部６ｂの外端側部分１２９に取り付けられており、その他端部１３０に、前記第１のバックル部材１２６ａと着脱可能に係合し得る第２の連結部材（本実施例においては第２のバックル部材１３１ａ）１３１が設けられている。そして図３５に示すように、該左右のバンド片１２１ａ，１２１ｂの長さを所要に調節して該左右のバンド片１２１ａ，１２１ｂで、前記左右の膝受け部６ａ，６ｂに載せられている左右の膝部３ａ，３ｂを上から覆い、且つ該第１、第２のバックル部材１２６ａ，１３１ａを相互に係合させることによって、該左右の膝部３ａ，３ｂが、連結された左右のバンド片１２１ａ，１２１ｂと前記膝受け部材７との間で拘束される。これにより、図３６に示すように、下方に傾斜した前記膝受け部６ａ，６ｂから左右の膝部３ａ，３ｂが滑り落ちるのを防止でき、前記上下スイング動を安定的に行い得ることとなる。
【０１０７】
下方に傾斜した前記膝受け部６ａ，６ｂから左右の膝部３ａ，３ｂが滑り落ちるのを防止する手段は、前記左右の膝受け部６ａ，６ｂに載せた左右の膝部３ａ，３ｂを、左右のバンド片で個別に拘束するように構成してもよい。
【０１０８】
図３７〜４０は、バンド部材１２１を以て構成された膝部止め１２０ａ，１２０ｂの他の態様を示すものであり、該バンド部材１２１は、調整部材１４０で長さ調整可能となされた１本のバンド部材である。該バンド部材１２１を用いる膝部止め１２０ａ，１２０ｂは、例えば図１に示されている運動器具１に応用されており、丸棒状を呈する前記膝受け部材７の左右の膝受け部６ａ，６ｂの外端側部分１２３，１２９の夫々に、小間隔（例えば５０ｍｍ程度の間隔）を置いて複数個（例えば２個）の取付け孔１４１，１４１、１４１，１４１が設けられており、夫々の取付け孔１４１に、例えば紐を以てなる掛着リング１４２が取り付けられている。図３７（Ａ）は、外側に位置する掛着リング１４２，１４２（１４２ａ，１４２ａ）に、前記バンド部材１２１の両端部分１４３，１４３が、環状連結部材（例えばカラビナ）１４５，１４５を介して連結されている。これにより図３８（Ａ）（Ｂ）に示すように、下方に傾斜した左右の膝受け部６ａ，６ｂから左右の膝部３ａ，３ｂが滑り落ちるのを防止できる。
【０１０９】
又図３７（Ｂ）は、内側に位置する掛着リング１４２，１４２（１４２ｂ，１４２ｂ）に、前記バンド部材１２１の両端部分１４３，１４３が、前記環状連結部材（例えばカラビナ）１４５，１４５を介して連結されている。これにより、図３９（Ａ）（Ｂ）に示すように、下方に傾斜した左右の膝受け部６ａ，６ｂから左右の膝部３ａ，３ｂが滑り落ちるのを防止できる。
【０１１０】
前記のように、膝受け部６ａ，６ｂの外端側部分１２３，１２９に複数個の取付け孔１４１を設ける等、左右の膝部止め１２０ａ，１２０ｂの配設部位を左右方向で位置変更可能とする構成は、その他の実施例に係る運動器具１においても応用できる。そして、このように左右の膝部止め１２０ａ，１２０ｂの配設部位を左右方向で位置変更可能とする場合は、左右の膝部３ａ，３ｂを内側に寄せた状態や左右の膝部３ａ，３ｂを稍離した状態等、所望の状態で該左右の膝部を止めることができる。これによって、左右の膝裏部５ａ，５ｂに対してのマッサージ作用や、左右の脚部５５ａ，５５ｂの上下運動の負荷状態を変化させることができる。
【０１１１】
例えば、左右の膝部３ａ，３ｂを前記のように内側に寄せた状態で左右の脚部５５ａ，５５ｂを積極的に押し下げて前記膝受け部材７に上下スイング動を行わせる場合（図３９）は、左右の膝部３ａ，３ｂを前記のように稍離した状態する場合（図３８）に比し、前記膝受け部材７を上下スイング動させる際における左右の脚部５５ａ，５５ｂの押し下げ時の負荷をより大きくできる。前記支持部１０を、例えば図１に示すようにコイルバネ等の付勢手段を用いて構成する場合は、該脚部５５ａ，５５ｂの押し下げ時の負荷をより大きくなし得る。
【０１１２】
図４０、図４１に示す左右の膝部止め１２０ａ，１２０ｂは、前記左右の膝受け部６ａ，６ｂの外端部分に別体の膝部止め部材１３２ａ，１３２ｂを固定して構成されている。該膝部止め部材１３２ａ，１３２ｂは、前記左右の膝受け部６ａ，６ｂの端部分１３３ａ，１３３ｂに嵌着状態で固定される固定部１３５ａ，１３５ｂに膝部止め部１２０ａ，１２０ｂを設けた構成を有している。
【０１１３】
図４０においては該固定部１３５ａ，１３５ｂが、前記端部分１３３ａ，１３３ｂを嵌め入れて嵌着状態に固定される筒状体１２８ａ，１２８ｂを以て構成されており、図３８においては、該固定部１３５ａ，１３５ｂが、前記端部分１３３ａ，１３３ｂの端面１３６ａ，１３６ｂに設けた固定孔１３７ａ，１３７ｂに嵌め入れて嵌着状態に固定される固定軸１３９ａ，１３９ｂを以て構成されている。かかる嵌着手段に代えて、螺合して締め付ける螺締手段を採用してもよく、これらの嵌着部分を適宜接着してもよい。そして図４０（Ｂ）（Ｃ）、図４１（Ｂ）（Ｃ）に示すように、該左右の膝部止め１２０ａ，１２０ｂによって、下方に傾斜した前記膝受け部６ａ，６ｂから左右の膝部３ａ，３ｂが滑り落ちるのを防止できる。
【０１１４】
又、前記左右の膝部止め１２０ａ，１２０ｂは、例えば図４２（Ａ）（Ｂ）に示すように、前記左右の膝受け部６ａ，６ｂの外端部分に一体に設けられてもよい。
【０１１５】
(9) 図４３は、例えば図１に示されている運動器具１の丸棒状を呈する前記膝受け部材７の左右の膝受け部６ａ，６ｂの外端側部分１２３，１２９の下面部を、その内側から外側に向けて斜め状態に傾斜する傾斜面１４６，１４６を呈するようにカットした場合を示している。このようにカットする場合は、該膝受け部材７を、前記左右の膝受け部６ａ，６ｂが交互に上下する上下スイング動させる場合、前記基板１７が幅広であるときも、例えば図４３（Ｂ）において示す、カットしない場合（この場合における膝受け部材７を図４３（Ｂ）に一点鎖線で示している）との比較から明らかなように、該上下スイング動の振幅をより大きく設定できることとなる。なお図４３においても、図３７におけると同様に、取付け孔１４１が設けられている。
【０１１６】
(10)本発明に係る運動器具１をバーチャル表示装置と連動させれば、足踏み運動や歩行運動、早歩き運動、ランニング運動、山登り運動、自転車漕ぎ運動等の運動をあたかも現実に行っているかのようなバーチャルな状態をモニターに表示させることができる。この場合、例えば、左右の膝部の負荷を所要とし且つ、前記上下スイング動の速度を歩行状態や早歩き状態等に適宜変更すると、使用者がこれらの運動を現実に行っているかのようなバーチャルな状態をモニターに表示できる。又、消費カロリーをモニターに表示させることもでき、このように構成するときは、目標を以て運動を楽しく効果的に行うことができる。
【０１１７】
(11)前記基板１７は、椅子から前方に向けて突出するように設けることができる他、椅子から前方に向けて突出でき且つ該基板が椅子の内部や椅子の下面に収納状態となり得るように構成することもできる。そして、該基板１７に設けた支持部１０で前記膝受け部材７を支持させることができる。
【０１１８】
(12)左右の膝裏部５，５に押圧刺激を与える前記左右の膝受け部６，６としては、前記した丸棒状を呈するものや板状を呈するもの等を選択でき、丸棒状を太径とするか細径とするかや、板幅をどの程度に設定するか等は、使用者が求める押圧刺激に応じて所要に設定することができ、適宜交換可能に構成することもできる。又、膝裏部５，５に対する押圧刺激を所要に設定できるように、前記左右の膝受け部６，６の横断面形態を、上に突の半丸状や楕円形状、角形状に構成することも可能であり、更には、該左右の膝受け部６，６の表面に、膝裏部５を刺激するための突部を設けることもできる。これらによって、膝裏部５に当接する面積を変えることができ、押圧刺激の大小や押圧部位を所要に設定できることとなる。
【０１１９】
(13)前記支持部１０は、適宜の蝶番を用いて構成することもできる。
【０１２０】
(14)該左右の膝受け部６，６にバイブレーターを組み込むことによって、バイブレーションを加えながら膝裏部５に押圧刺激を付加するように構成することもでき、更には、該膝受け部６，６に加温装置を組み込むことによって、膝裏部に、加温しながら押圧刺激を加えるように構成することもできる。
【０１２１】
(15)前記上下スイング動や前後スイング動、八の字状のスイング動を、モーター駆動によって行わせることもできる。
【０１２２】
(16)本発明に係る運動器具１は、足裏の土踏まずに押圧刺激を付与するために用いることもできる。図４４はその一例を示すものであり、該運動器具１を、その基板１７を床面６０等の設置面に載せた状態で該設置面に設置し、椅子に着座した使用者は、左右の足５９，５９の土踏まず部を前記左右の膝受け部６，６に載せる。この状態で使用者が、左右の脚部５５，５５を積極的に上下させて前記膝受け部材７を上下スイング動させると、足裏の土踏まずに押圧刺激を付与することができる。
【０１２３】
又、前記基板１７を床面６０等の設置面に載せた状態で該設置面に設置される運動器具は、仰臥位で使用されることもある。この場合は使用者は、仰臥位で、その左右の膝受け部６，６に左右の膝裏部５，５を載せ、この状態で該左右の膝受け部６，６を交互に上下動させる運動を行うことができる。これによって、膝部に体重を掛けないで膝裏部を効果的に押圧刺激できる等、膝裏部に効果的なマッサージ作用を付与できると共に、大腿四頭筋の筋力を強化できて膝痛を緩和し得ることとなる。
【符号の説明】
【０１２４】
１  運動器具
３  膝部
５  膝裏部
６  膝受け部
７  膝受け部材
９  中央部
１０  支持部
１１  椅子
１２  着座部
１３  座面
１５  後側部分
１７  基板
２２  大腿部
２５  ハンドル
３５  保持孔
３６  支持部材
４２  コイルバネ
４６  上の挿入軸
４７  下の挿入軸
５５  脚部
５６  下腿部
５７  手
５９  足
６０  床面
７０  垂直軸受孔
７２  傾斜軸受孔
７５  枢軸部
７７  外側把持部
８０  支柱部材
１２０  膝部止め
【図１】
0006418693.tif 000002
【図２】
0006418693.tif 000003
【図３】
0006418693.tif 000004
【図４】
0006418693.tif 000005
【図５】
0006418693.tif 000006
【図６】
0006418693.tif 000007
【図７】
0006418693.tif 000008
【図８】
0006418693.tif 000009
【図９】
0006418693.tif 000010
【図１０】
0006418693.tif 000011
【図１１】
0006418693.tif 000012
【図１２】
0006418693.tif 000013
【図１３】
0006418693.tif 000014
【図１４】
0006418693.tif 000015
【図１５】
0006418693.tif 000016
【図１６】
0006418693.tif 000017
【図１７】
0006418693.tif 000018
【図１８】
0006418693.tif 000019
【図１９】
0006418693.tif 000020
【図２０】
0006418693.tif 000021
【図２１】
0006418693.tif 000022
【図２２】
0006418693.tif 000023
【図２３】
0006418693.tif 000024
【図２４】
0006418693.tif 000025
【図２５】
0006418693.tif 000026
【図２６】
0006418693.tif 000027
【図２７】
0006418693.tif 000028
【図２８】
0006418693.tif 000029
【図２９】
0006418693.tif 000030
【図３０】
0006418693.tif 000031
【図３１】
0006418693.tif 000032
【図３２】
0006418693.tif 000033
【図３３】
0006418693.tif 000034
【図３４】
0006418693.tif 000035
【図３５】
0006418693.tif 000036
【図３６】
0006418693.tif 000037
【図３７】
0006418693.tif 000038
【図３８】
0006418693.tif 000039
【図３９】
0006418693.tif 000040
【図４０】
0006418693.tif 000041
【図４１】
0006418693.tif 000042
【図４２】
0006418693.tif 000043
【図４３】
0006418693.tif 000044
【図４４】
0006418693.tif 000045
【図４５】
0006418693.tif 000046
【図４６】
0006418693.tif 000047